(57)【要約】【課題】  小型化を図るとともに低コスト化を図る上で有利な撮像装置およびレンズ装置を提供する。【解決手段】  前レンズ２２は、レンズ部２２０２と取付部２２０３とを有している。開口部２０８はレンズ部２２０２に対応した大きさで形成されており、開口部２０８の周囲の壁部２０６には第１の面２２０６が当接される当接部２１０が形成されている。付勢部材２４０１は単一の薄板状のばね材２４０２から構成されている。ばね片２４０６は、開口部２４０４の周囲のばね材２４０２箇所に形成されレンズ枠２２０４を介して第２の面２２０８に当接することで、第１の面２２０６を当接部２１０に当接する方向へ付勢するように構成されている。【選択図】        図５
2005055757.tif 000002
【特許請求の範囲】
【請求項１】
光が通過するレンズ部と、その周囲に設けられた取付部とを有するレンズと、
前記レンズ部に対応する大きさの開口部と、前記開口部の周囲に形成され前記レンズの厚さ方向の一方に位置する前記取付部の端面である第１の面が当接される当接部とを有するホルダと、
前記ホルダに設けられ、前記第１の面を前記当接部に当接する方向に付勢する付勢手段と、
前記ホルダに設けられ、前記付勢手段により前記第１の面が前記当接部に当接された状態で前記レンズをその光軸と直交する方向に沿って変位させる調整手段と、
前記レンズの後方に配置された撮像素子とを備えた撮像装置であって、
前記付勢手段は、前記レンズの厚さ方向の他方に位置する前記取付部の端面である第２の面側に配置され前記光軸と直交する面に沿って延在する単一の薄板状のばね材からなる付勢部材で構成され、
前記付勢部材には、前記レンズ部に対応する大きさの開口部と、前記開口部の周囲の箇所に形成され前記第２の面に当接するばね片とが設けられ、
前記付勢手段による前記第１の面の前記当接部に当接する方向への付勢は、前記ばね片によってなされる、
ことを特徴とする撮像装置。
【請求項２】
前記第２の面に環状のレンズ枠が取着され、前記付勢部材により前記レンズ枠を介して前記第１の面が前記当接部に当接する方向へ付勢されることを特徴とする請求項１記載の撮像装置。
【請求項３】
前記調整手段は、２つの調整部材と、１つの調整用付勢部材とで構成され、前記２つの調整部材はそれらの軸心が前記レンズの中央で互いに鋭角をなして交差するように延在し、かつ、それらの先端が前記取付部の外周面の２箇所に当接して前記光軸に対して接離する方向に変位可能に設けられ、前記調整用付勢部材は、前記レンズを前記２つの調整部材に当接する方向に付勢するように構成されていることを特徴とする請求項１記載の撮像装置。
【請求項４】
前記第２の面に環状のレンズ枠が取着され、前記調整手段は、２つの調整部材と、１つの調整用付勢部材とで構成され、前記２つの調整部材はそれらの軸心が前記レンズ枠の中央で互いに鋭角をなして交差するように延在し、かつ、それらの先端が前記レンズ枠の外周面の２箇所に当接して前記光軸に対して接離する方向に変位可能に設けられ、前記調整用付勢部材は、前記レンズ枠を前記２つの調整部材に当接する方向に付勢するように構成されていることを特徴とする請求項１記載の撮像装置。
【請求項５】
前記取付部の外周面には前記レンズ部の半径方向外方に突出する座が取付部の周方向に間隔をおいて複数形成され、前記調整手段は、２つの調整部材と、１つの調整用付勢部材とで構成され、前記２つの調整部材はそれらの軸心が前記レンズの中央で互いに鋭角をなして交差するように延在し、かつ、それらの先端がそれぞれ前記座の先端に当接して前記光軸に対して接離する方向に変位可能に設けられ、前記調整用付勢部材は、前記それぞれの座を前記２つの調整部材に当接する方向に付勢するように構成されていることを特徴とする請求項１記載の撮像装置。
【請求項６】
前記調整用付勢部材は、前記付勢部材に一体に形成された板ばね部によって構成され、前記調整用付勢部材による前記レンズの付勢は、前記板ばね部の部分が前記取付部の外周面の箇所に当接することによってなされることを特徴とする請求項３記載の撮像装置。
【請求項７】
前記第２の面に環状のレンズ枠が取着され、前記付勢部材により前記レンズ枠を介して前記第１の面が前記当接部に当接する方向へ付勢され、前記調整用付勢部材は、前記付勢部材に一体に形成された板ばね部によって構成され、前記調整用付勢部材による前記レンズの付勢は、前記板ばね部の部分が前記レンズ枠の外周面箇所に当接することによってなされることを特徴とする請求項３記載の撮像装置。
【請求項８】
前記調整用付勢部材は、前記付勢部材に一体に形成された板ばね部によって構成され、前記調整用付勢部材による前記レンズの付勢は、前記板ばね部の部分が前記座の先端に当接することによってなされることを特徴とする請求項３記載の撮像装置。
【請求項９】
光が通過するレンズ部と、その周囲に設けられた取付部とを有するレンズと、
前記レンズ部に対応する大きさの開口部と、前記開口部の周囲に形成され前記レンズの厚さ方向の一方に位置する前記取付部の端面である第１の面が当接される当接部とを有するホルダと、
前記ホルダに設けられ、前記第１の面を前記当接部に当接する方向に付勢する付勢手段と、
前記ホルダに設けられ、前記付勢手段により前記第１の面が前記当接部に当接された状態で前記レンズをその光軸と直交する方向に沿って変位させる調整手段とを備えたレンズ装置であって、
前記付勢手段は、前記レンズの厚さ方向の他方に位置する前記取付部の端面である第２の面側に配置され前記光軸と直交する面に沿って延在する単一の薄板状のばね材からなる付勢部材で構成され、
前記付勢部材には、前記レンズ部に対応する大きさの開口部と、前記開口部の周囲の箇所に形成され前記第２の面に当接するばね片とが設けられ、
前記付勢手段による前記第１の面の前記当接部に当接する方向への付勢は、前記ばね片によってなされる、
ことを特徴とするレンズ装置。
【請求項１０】
前記第２の面に環状のレンズ枠が取着され、前記付勢部材により前記レンズ枠を介して前記第１の面が前記当接部に当接する方向へ付勢されることを特徴とする請求項９記載のレンズ装置。
【請求項１１】
前記調整手段は、２つの調整部材と、１つの調整用付勢部材とで構成され、前記２つの調整部材はそれらの軸心が前記レンズの中央で互いに鋭角をなして交差するように延在し、かつ、それらの先端が前記取付部の外周面の２箇所に当接して前記光軸に対して接離する方向に変位可能に設けられ、前記調整用付勢部材は、前記レンズを前記２つの調整部材に当接する方向に付勢するように構成されていることを特徴とする請求項９記載のレンズ装置。
【請求項１２】
前記第２の面に環状のレンズ枠が取着され、前記調整手段は、２つの調整部材と、１つの調整用付勢部材とで構成され、前記２つの調整部材はそれらの軸心が前記レンズ枠の中央で互いに鋭角をなして交差するように延在し、かつ、それらの先端が前記レンズ枠の外周面の２箇所に当接して前記光軸に対して接離する方向に変位可能に設けられ、前記調整用付勢部材は、前記レンズ枠を前記２つの調整部材に当接する方向に付勢するように構成されていることを特徴とする請求項９記載のレンズ装置。
【請求項１３】
前記取付部の外周面には前記レンズ部の半径方向外方に突出する座が取付部の周方向に間隔をおいて複数形成され、前記調整手段は、２つの調整部材と、１つの調整用付勢部材とで構成され、前記２つの調整部材はそれらの軸心が前記レンズの中央で互いに鋭角をなして交差するように延在し、かつ、それらの先端がそれぞれ前記座の先端に当接して前記光軸に対して接離する方向に変位可能に設けられ、前記調整用付勢部材は、前記それぞれの座を前記２つの調整部材に当接する方向に付勢するように構成されていることを特徴とする請求項９記載のレンズ装置。
【請求項１４】
前記調整用付勢部材は、前記付勢部材に一体に形成された板ばね部によって構成され、前記調整用付勢部材による前記レンズの付勢は、前記板ばね部の部分が前記取付部の外周面の箇所に当接することによってなされることを特徴とする請求項１１記載のレンズ装置。
【請求項１５】
前記第２の面に環状のレンズ枠が取着され、前記付勢部材により前記レンズ枠を介して前記第１の面が前記当接部に当接する方向へ付勢され、前記調整用付勢部材は、前記付勢部材に一体に形成された板ばね部によって構成され、前記調整用付勢部材による前記レンズの付勢は、前記板ばね部の部分が前記レンズ枠の外周面箇所に当接することによってなされることを特徴とする請求項１１記載のレンズ装置。
【請求項１６】
前記調整用付勢部材は、前記付勢部材に一体に形成された板ばね部によって構成され、前記調整用付勢部材による前記レンズの付勢は、前記板ばね部の部分が前記座の先端に当接することによってなされることを特徴とする請求項１１記載のレンズ装置。
【発明の詳細な説明】
【技術分野】
【０００１】
本発明は撮像装置およびレンズ装置に関する。
【背景技術】
【０００２】
近年、デジタルスチルカメラ、デジタルビデオカメラ等の撮像装置として、ズーミング（変倍）を行なう撮影光学系を有するものが提供されている。
このような撮影光学系を構成するレンズ装置として、光軸方向の位置が固定された固定レンズ群と、光軸方向に移動可能な可動レンズ群とを有し、可動レンズ群を撮影光学系の光軸に沿って動かすことでズーミング動作を行なうものが提供されている（例えば特許文献１参照）。
前記レンズ装置では、可動レンズ群が広角側と望遠側とに移動した際に、撮影光学系全体としてのＭＴＦ（空間周波数）、言い換えれば解像度が変動するため、この変動が広角側と望遠側とでバランスのとれたものとなるように固定レンズ群の光軸位置の微調整を行なうことが必要となる。このような微調整は、撮像素子の高画素数化に伴って撮影光学系の光学的性能の向上を図る上で重要なものとなっている。
【０００３】
【特許文献１】特開平１１−３１１７３４号公報
【発明の開示】
【発明が解決しようとする課題】
【０００４】
したがって、前記レンズ装置には、固定レンズ群の光軸と直交する方向の位置を微調整調整するための調整機構を設けているが、このような調整機構は光軸方向のスペースを占有するため小型化を阻害するとともに、コストアップの要因となっていた。
本発明は、このような事情に鑑みなされたものであり、小型化を図るとともに低コスト化を図る上で有利な撮像装置およびレンズ装置を提供することにある。
【課題を解決するための手段】
【０００５】
上述の目的を達成するため、本発明の撮像装置は、光が通過するレンズ部と、その周囲に設けられた取付部とを有するレンズと、前記レンズ部に対応する大きさの開口部と、前記開口部の周囲に形成され前記レンズの厚さ方向の一方に位置する前記取付部の端面である第１の面が当接される当接部とを有するホルダと、前記ホルダに設けられ、前記第１の面を前記当接部に当接する方向に付勢する付勢手段と、前記ホルダに設けられ、前記付勢手段により前記第１の面が前記当接部に当接された状態で前記レンズをその光軸と直交する方向に沿って変位させる調整手段と、前記レンズの後方に配置された撮像素子とを備えた撮像装置であって、前記付勢手段は、前記レンズの厚さ方向の他方に位置する前記取付部の端面である第２の面側に配置され前記光軸と直交する面に沿って延在する単一の薄板状のばね材からなる付勢部材で構成され、前記付勢部材には、前記レンズ部に対応する大きさの開口部と、前記開口部の周囲の箇所に形成され前記第２の面に当接するばね片とが設けられ、前記付勢手段による前記第１の面の前記当接部に当接する方向への付勢は、前記ばね片によってなされることを特徴とする。
また、本発明のレンズ装置は、光が通過するレンズ部と、その周囲に設けられた取付部とを有するレンズと、前記レンズ部に対応する大きさの開口部と、前記開口部の周囲に形成され前記レンズの厚さ方向の一方に位置する前記取付部の端面である第１の面が当接される当接部とを有するホルダと、前記ホルダに設けられ、前記第１の面を前記当接部に当接する方向に付勢する付勢手段と、前記ホルダに設けられ、前記付勢手段により前記第１の面が前記当接部に当接された状態で前記レンズをその光軸と直交する方向に沿って変位させる調整手段とを備えた撮像装置であって、前記付勢手段は、前記レンズの厚さ方向の他方に位置する前記取付部の端面である第２の面側に配置され前記光軸と直交する面に沿って延在する単一の薄板状のばね材からなる付勢部材で構成され、前記付勢部材には、前記レンズ部に対応する大きさの開口部と、前記開口部の周囲の箇所に形成され前記第２の面に当接するばね片とが設けられ、前記付勢手段による前記第１の面の前記当接部に当接する方向への付勢は、前記ばね片によってなされることを特徴とする。
【発明の効果】
【０００６】
そのため、本発明によれば、付勢手段は、レンズ光軸と直交する面に沿って延在する単一の薄板状のばね材からなる付勢部材で構成され、付勢部材には、レンズ部に対応する大きさの開口部と、開口部の周囲の箇所に形成され第２の面に当接するばね片とが設けられ、付勢手段による第１の面の当接部に当接する方向への付勢は、ばね片によってなされる。レンズは、付勢手段のばね片が第２の面を付勢することにより第１の面が当接部に当接された状態となっており、この状態で光軸と直交する方向に移動できるようになっている。調整手段によってレンズは光軸と直交する方向に変位される。
したがって、付勢部材が光軸方向に占有するスペースを削減することができるので撮像装置およびレンズ装置の小型化を図る上で有利となる。
また、付勢手段が単一のばね材からなる付勢部材で構成されているので、部品点数を抑制するとともに構成を簡素化できるので、部品コストおよび組立コストを削減でき、撮像装置およびレンズ装置の低コスト化を図る上で有利となる。
【発明を実施するための最良の形態】
【０００７】
小型化を図るとともに低コスト化を図るという目的を、付勢手段をレンズの光軸と直交する面に沿って延在する単一の薄板状のばね材からなる付勢部材で構成することによって実現した。
【実施例１】
【０００８】
次に本発明の実施例１について図面を参照して説明する。
図１は実施例１の撮像装置の斜視図、図２は実施例１の撮像装置の構成を示すブロック図である。
図１に示すように、本実施例の撮像装置１００はデジタルスチルカメラであり、外装を構成するケース１０２を有している。
ケース１０２の前面右側部寄りの箇所には撮影光学系１０４を収容保持する鏡筒１が設けられ、ケース１０２の前面上部寄りの箇所には閃光を発光するフラッシュ部１０６、光学式ファインダの対物レンズ１０８などが設けられている。
ケース１０２の上端面にはシャッタボタン１１０が設けられ、ケース１０２の後面には、前記光学式ファインダの接眼窓１１０、電源のオンオフ、撮影モード、再生モードの切替など種々の操作を行なうための複数の操作スイッチ１１２、撮像した映像を表示するディスプレイ１１４（図２）などが設けられている。
【０００９】
図２に示すように、撮像装置１００は、撮影光学系１０４によって結像された被写体像を撮像するＣＣＤやＣＭＯＳセンサなどで構成された撮像素子１１６、該撮像素子１１６から出力された撮像信号に基づいて画像データを生成し、メモリカードなどの記憶媒体１１８に記録する画像処理部１２０、前記画像データをディスプレイ１１４に表示させる表示処理部１２２、後述する第２レンズ群１２、第４レンズ群１６を光軸方向に動かす駆動部１２４、操作スイッチ１１２やシャッタボタン１１０の操作に応じて画像処理部１２０、表示処理部１２２、駆動部１２４を制御するＣＰＵなどを含む制御部１２６などを備えている。
【００１０】
次に、鏡筒１の概略構成について説明する。
図３は鏡筒１が広角状態となっていることを示す断面図、図４は鏡筒１が望遠状態となっていることを示す断面図である。
【００１１】
図３、図４に示すように、鏡筒１は光学的には４群インナーフォーカスとして構成されている。
鏡筒１はその内部に第１筒部２（特許請求の範囲のホルダに相当）と第２筒部３とを有している。
第１筒部２は、断面が矩形状に形成され、第１筒部２は、後壁２０１と後壁２０１の周縁から前方に起立された周壁２０２とを備えている。
第２筒部３は、第１筒部２の前端に取着され、第２筒部３には第１レンズ群１０が収容されている。
第１筒部２の内側で第１レンズ群１０の後方には、第２レンズ群１２、第３レンズ群１４、第４レンズ群１６がこの順番で前方から後方に向かって配置されている。
後壁２０２には開口部２０４が設けられ、この開口部２０４に臨ませて撮像素子１１６が取着されている。
第１レンズ群１０、第３レンズ群１４は第１筒部２および第２筒部３に固定された固定レンズ群として構成され、第２レンズ群１２、第４レンズ群１６は光軸方向に移動可能に設けられた可動レンズ群として構成されている。
また、第１筒部２の光軸方向の中間に壁部２０６が形成され、該壁部２０６の中央に前記光軸を中心とする開口部２０８が設けられている。
開口部２０８の後方寄り箇所には、後レンズ２１がその中心と前記光軸とが一致するように位置決めされた状態で取着されている。
開口部２０８の前方、すなわち後レンズ２１の前方には、前レンズ２２が配置され、これら前レンズ２２と後レンズ２１とによって第３レンズ群１４が構成されている。
そして、図３と図４に示すように、第２、第４レンズ群１２、１６が駆動部１２４の駆動力によって所定のカムカーブに沿ってこれら第１乃至第４レンズ群１０、１２、１４、１６の光軸方向に動かされることによって広角および望遠の間でズーミングを行うように構成されている。
【００１２】
次に、レンズ装置の構成について詳細に説明する。
図５は実施例１に係る前レンズの取付構造の分解説明図、図６は図５を前方から見た正面図である。
第３レンズ群１４を構成する前レンズ２２の取付に本発明のレンズ装置が適用されており、このレンズ装置２０は、前レンズ２２、開口部２０８、第１筒部２、第１筒部２に設けられた付勢手段２４および調整手段２６を備えている。
【００１３】
前レンズ２２は、光が通過するレンズ部２２０２（光を収束させたりあるいは拡散させたりしてレンズとして機能する部分）と、レンズ部２２０２の周囲に設けられ第１筒部２に取着される取付部２２０３とを有している。そして、前レンズ２２は厚さを有し、この厚さ方向の一方に位置する取付部２２０３の端面が第１の面２２０６となり、厚さ方向の他方に位置する取付部２２０３の端面が第２の面２２０８となっている。
開口部２０８はレンズ部２２０２に対応した大きさで形成されており、開口部２０８の周囲の壁部２０６には第１の面２２０６が当接される当接部２１０が形成されている。
本実施例では、前レンズ２２にレンズ枠２２０４が取着されている。
レンズ枠２２０４は取付部２２０３の全周にわたって環状に延在し、レンズ枠２２０４の内周部が第２の面２２０６に接着されることでレンズ枠２２０４がレンズ部２２０２に取着され固定されている。
また、レンズ枠２２０４の径方向外側箇所には係合凸部２２１０が形成されている。
【００１４】
付勢手段２４は、レンズ枠２２０４の第２の面２２０８側に配置され前記光軸と直交する面に沿って延在する単一の薄板状のばね材２４０２からなる付勢部材２４０１で構成されている。
付勢部材２４０１には、開口部２４０４とばね片２４０６とが設けられている。
開口部２４０４は、レンズ部２２０２に対応する大きさで形成されている。
ばね片２４０６は、開口部２４０４の周囲の箇所に形成されレンズ枠２２０４を介して第２の面２２０８に当接することで、第１の面２２０６を当接部２１０に当接する方向へ付勢するように構成されている。本例では、ばね片２４０６は開口部２４０４の周方向に１２０度の間隔をおいて３つ設けられ、それぞれ開口部２４０４の外周箇所において開口部２４０４の外周縁に沿って円弧状に延在形成され、各ばね片２４０６は、先端に至るにつれて開口部２４０４に対して光軸方向に沿って離れ前レンズ２２側に変位して形成されている。
また、付勢部材２４０１の上下左右の辺のうち下辺中央には外方に突出する係合爪２４０８が形成され、該係合爪２４０８を挟む２箇所には当接片２４１０がそれぞれ形成されている。ばね材２４０２の上辺には２つのばね片２４１２が形成されている。付勢部材２４０１の左右の辺の一方の辺近傍には上下に間隔をおいて２つの位置決め孔２４１４が形成されている。
図５に示すように、第１筒部２の周壁２０２のうち、下部には付勢部材２４０１の係合爪２４０８が係合される係合孔２１２が形成され、上部には付勢部材２４０１の２つの係合片２４１２が係合される２つの係合孔２１４が形成され、図６に示すように、第１筒部２の壁部２０６には２つの位置決め孔２４１４に挿通される２つの位置決めボス２１６が形成されている。
したがって、付勢部材２４０１は、本体２４の係合爪２４０８が係合孔２１２に係合されるとともに２つのばね片２４１２が２つの係合孔２１４に係合された状態で、各ばね片２４１２の弾性により当接片２４１０が壁部２０６の下部に当接し、さらに、２つの位置決め孔２４１４に２つの位置決めボス２１６が挿通されることにより、第１筒部２に対して位置決めされた状態で保持されることになる。
【００１５】
調整手段２６は、第１筒部２の周壁２０２に設けられた第１、第２の雌ねじ部材２１８、２２０と、特許請求の範囲の調整部材を構成する第１、第２の調整ねじ２６０２、２６０４と、特許請求の範囲の調整用付勢手段を構成する引っ張りコイルばね２６０６（以下コイルばねという）とを備えている。
第１の雌ねじ部材２１８には周壁２０２上部を貫通しレンズ枠２２０４の外周面に臨む雌ねじが形成され、第２の雌ねじ部２２０には周壁２０２の側部を貫通しレンズ枠２２０４の外周面に臨む雌ねじが形成されている。第１、第２の雌ねじ部２１８、２２０の雌ねじは、それぞれの軸線が前レンズ２２の中央で互いに鋭角をなして交差するように、本実施例では９０度をなして交差するように設けられている。
第１の調整ねじ２６０２は第１の雌ねじ部材２１８の雌ねじに螺合されその先端がレンズ枠２２０４の外周面に当接するように構成され、第２の調整ねじ２６０４は、第２の雌ねじ部材２２０の雌ねじに螺合されその先端がレンズ枠２２０４の外周面に当接するように構成されている。したがって、第１、第２の調整ねじ２６０２、２６０４は、それらの軸心が前レンズ２２の中央で互いに鋭角をなして交差するように延在し、かつ、それらの先端が取付部２２０３の外周面の２箇所にレンズ枠２２０４を介して当接して光軸に対して接離する方向に変位可能に設けられていることになる。
コイルばね２６０６は、２つの第１、第２の調整ねじ２６０２、２６０４の間に位置するようにレンズ枠２２０４の係合凸部２２１０と、第１筒部２の係合凸部２２２との間に張設され、レンズ枠２２０４を第１、第２の雌ねじ部材２１８、２２０の雌ねじの軸線に対して４５度をなす角度に沿って付勢することにより、第１、第２の調整ねじ２６０２、２６０４の各先端にレンズ枠２２０４の外周面を確実に当て付けるように構成されている。
【００１６】
次に、前レンズ２２の位置調整について説明する。
前レンズ２２は、ばね片２４０６がレンズ枠２２０４を介して第２の面２２０８を付勢することにより第１の面２２０６が当接部２１０に当接された状態となっており、この状態で前記光軸と直交する方向に移動できるようになっている。
ここで、第１の調整ねじ２６０２を回転させて前レンズ２２の光軸に対して接離する方向に動かすと、コイルばね２６０６の付勢力により第１の調整ねじ２６０２の先端に当て付けられた前レンズ２２は第１の調整ねじ２６０２の移動に追従し光軸と直交する上下方向に変位される。
同様に、第２の調整ねじ２６０４を回転させて前レンズ２２の光軸に対して接離する方向に動かすと、コイルばね２６０６の付勢力により第２の調整ねじ２６０４の先端に当て付けられた前レンズ２２は第２の調整ねじ２６０４の移動に追従し光軸と直交する左右方向に変位される。
このように第１、第２の調整ねじ２６０２、２６０４を回転することにより前レンズ２２の位置を光軸と直交する方向に変位させることができる。
前レンズ２２の光軸と直交する方向の位置調整は、第２、第４レンズ群１２、１６を広角側と望遠側とにそれぞれ移動させた状態で、第１乃至第４レンズ群１０、１２、１４、１６全体としてのＭＴＦ（空間周波数）、言い換えれば解像度の変動をそれぞれ測定しつつ、その変動が広角側と望遠側とでバランスのとれたものとなるように行なう。
【００１７】
以上説明したように、本実施例によれば、付勢部材２４０１は、前レンズ２２の光軸と直交する面に沿って延在する単一の薄板状のばね材２４０２から構成され、付勢部材２４０１に、レンズ部２２０２に対応する大きさの開口部２４０４と、第２の面２２０８に当接するばね片２４０６とが設けられ、付勢部材２４０１による第１の面２２０６の当接部２１０に当接する方向への付勢は、ばね片２４０６によってなされるようにした。
したがって、付勢部材２４０１が光軸方向に占有するスペースを削減することができるので撮像装置およびレンズ装置の小型化を図る上で有利となる。また、光軸方向にスペースの余裕ができるため、光学設計の自由度を確保することができ光学的特性の向上を図る上でも有利となる。
また、付勢部材２４０１が単一のばね材で構成されているので、部品点数を抑制するとともに構成を簡素化できるので、部品コストおよび組立コストを削減でき、撮像装置およびレンズ装置の低コスト化を図る上で有利となる。
【実施例２】
【００１８】
次に本発明の実施例２について図面を参照して説明する。
実施例２が実施例１と異なるのは、実施例１の調整手段２６のコイルばね２６０２が付勢部材２４０１に一体に形成されている点である。
図７は実施例２の係る前レンズの取付構造の分解説明図、図８は付勢部材２４０１に形成したばね部の拡大図である。以下では、実施例１と同一または同様の部分には同一の符号を付してその説明を省略する。
【００１９】
図７、図８に示すように、付勢部材２４０１はばね材２４０２から構成され、付勢部材２４０１にはレンズ枠２２０４の外周面に臨むようにばね部２４１６が一体に屈曲形成されている。
このばね部２４１６は、レンズ枠２２０４の外周面に当接することでレンズ枠２２０４の外周面を第１、第２の調整ねじ２６０２、２６０４に当て付ける向きに付勢するように構成されている。
このような構成によれば、実施例１の作用効果に加えて、調整手段２６のコイルばね２６０６を、ばね部２４１６として付勢部材２４０１に一体に設けたので、コイルばね２６０６の配設用の係合凸部２２２、２２１０を省略でき調整手段２６の構成を簡素化できるので、撮像装置およびレンズ装置の低コスト化を図る上でさらに有利となる。
【実施例３】
【００２０】
次に本発明の実施例３について図面を参照して説明する。
実施例３が実施例２と異なるのは、前レンズ２２のレンズ枠２２０４を廃止し、取付部２２０３に第１、第２の調整ねじ２６０２、２６０４の先端およびばね部２４１６が当接する座を設けた点である。
図９は実施例３に係る前レンズの取付構造の分解説明図である。
図９に示すように、前レンズ２２はレンズ部２２０２と、レンズ部２２０２の周囲に設けられ第１筒部２に取着される取付部２２０３とを有している。
取付部２２０３には、実施例１、２と同様に、第１、第２の面２２０６、２２０８が形成されている。
取付部２２０３の外周のうち、第１、第２の調整ねじ２６０２、２６０４の先端に臨む２箇所と、ばね部２４１６が当接する１箇所とには、取付部２２１２の外方に膨出する第１乃至第３の座２２１４、２２１６、２２１８がそれぞれ形成されている。
本例では、レンズ部２２０２、取付部２２１２、第１乃至第３の座２２１４、２２１６、２２１８は、ガラスあるいはプラスチックによって一体成形されている。
第１、第２の座２２１４、２２１６は、それぞれ第１、第２の調整ねじ２６０２、２６０４の先端に当接する外周面（先端面）が第１、第２の調整ねじ２６０２、２６０４の軸線と直交する平面をなすように設けられている。また、第３の座２２１８は、ばね部２４１６に当接する外周面（先端面）が該ばね部２４１６の付勢力が作用する方向に対して直交する平面をなすように設けられている。したがって、第１、第２の調整ねじ２６０２、２６０４の先端およびばね部２４１６と、取付部２２１２との当接が安定してなされ、前レンズ２２の調整を確実に行なえるようになっている。
このような構成によれば、実施例２の作用効果に加えて、前レンズ２２のレンズ枠２２０２を廃止できるので部品点数を抑制するとともに構成を簡素化でき、これにより撮像装置およびレンズ装置の低コスト化を図る上でさらに有利となる。
【実施例４】
【００２１】
次に本発明の実施例４について図面を参照して説明する。
実施例４が実施例１乃至３と異なるのは、調整用付勢部材２６０６を付勢部材２４０１としても機能させ、実施例１乃至３の付勢部材２４０１を廃止した点である。
図１０は実施例４に係る前レンズの取付構造の分解説明図、図１１は図１０を前方から見た正面図、図１２は図１０の要部側面図である。
図１０、図１１に示すように、前レンズ２２はレンズ部２２０２と、レンズ部２２０２の周囲に設けられ第１筒部２に取着される取付部２２０３とを有している。
本実施例では、前レンズ２２にレンズ枠２２０４が取着されている。レンズ枠２２０４はレンズ部２２０２の外周にわたって環状に延在し、レンズ枠２２０４の内周部がレンズ部２２０２の外周部に接着されることでレンズ枠２２０４がレンズ部２２０２に取着されている。
レンズ枠２２０４の外周面は、レンズ部２２０２の光軸に沿って第１の面２２０６に近づくにしたがって半径が次第に大きくなる傾斜面２２１８として形成され、該傾斜面２２１８が前記光軸に対してなす角度は例えば４５度である。
第１の調整ねじ２６０２は第１の雌ねじ部材２１８の雌ねじに螺合されその先端がレンズ枠２２０４の傾斜面２２１６に当接するように構成され、第２の調整ねじ２６０４は、第２の雌ねじ部材２２０の雌ねじに螺合されその先端がレンズ枠２２０４の傾斜面２２１８に当接するように構成されている。
コイルばね２６０６はレンズ枠２２０４の係合凸部２２１０と、第１、第２の雌ねじ部材２１８、２２０の間の壁部２０６箇所に突設された係合凸部２２２との間に張設され、レンズ枠２２０４を第１、第２の雌ねじ部材２１８、２２０の軸線に対して４５度をなす角度に沿って付勢することにより、第１、第２の調整ねじ２６０２、２６０４の先端にレンズ枠２２０４の傾斜面２２１８を当て付けるように構成されている。
したがって、図１２に示すように、コイルばね２６０６の付勢力により傾斜面２２１８が第１、第２の調整ねじ２６０２、２６０４の先端に当て付けられることで、第１の面２２０６が当接面２１０に当接される方向に付勢されることになる。
【００２２】
次に、前レンズ２２の位置調整について説明する。
レンズ枠２２０４は、前述したようにコイルばね２６０６の付勢力により第１の面２２０６が当接部２１０に当接された状態となっており、この状態で前記光軸と直交する方向に移動できるようになっている。
ここで、第１の調整ねじ２６０２を回転させて前レンズ２２の光軸に対して進退させると、コイルばね２６０６の付勢力により第１の調整ねじ２６０２の先端に当て付けられた前レンズ２２は第１の調整ねじ２６０２の移動に追従して上下方向に変位される。
同様に、第２の調整ねじ２６０４を回転させて前レンズ２２の光軸に対して進退させると、コイルばね２６０６の付勢力により第２の調整ねじ２６０４の先端に当て付けられた前レンズ２２は第２の調整ねじ２６０４の移動に追従して左右方向に変位される。
このように第１、第２の調整ねじ２６０２、２６０４を回転することにより前レンズ２２の位置を光軸と直交する方向に変位させることができる。
【００２３】
以上説明したように、本実施例によれば、２６０２、２６０４の調整用付勢部材２６０６を、前レンズ２２の付勢部材２４０１としても機能させるようにした。
したがって、実施例１乃至３で必要だった付勢部材２４０１を削減することによって光軸方向に占有するスペースをさらに削減できるので、撮像装置およびレンズ装置の小型化を図る上で有利となる。
【００２４】
なお、実施例１乃至４においては、調整手段２６が第１、第２の調整ねじと第１、第２雌ねじ部とを備える構成としたが、調整手段２６はこれに限定されるものではなく、プランジャやカム機構など従来公知の種々の機構を用いて実現することができるものである。
また、調整手段２６のコイルばね２６０２として引っ張りコイルばねの代りに圧縮コイルばねを用いてもよい。
また、付勢部材２４０１のばね片２４０６の数は３個に限定されるものではなく、１個、２個、あるいは４個以上であってもよい。
【図面の簡単な説明】
【００２５】
【図１】実施例１の撮像装置の斜視図である。
【図２】実施例１の撮像装置の構成を示すブロック図である。
【図３】は鏡筒１が広角状態となっていることを示す断面図、
【図４】鏡筒１が望遠状態となっていることを示す断面図である。
【図５】実施例１に係る前レンズの取付構造の分解説明図である。
【図６】図５を前方から見た正面図である。
【図７】実施例２の係る前レンズの取付構造の分解説明図である。
【図８】付勢部材２４０１に形成したばね部の拡大図である。
【図９】実施例３に係る前レンズの取付構造の分解説明図である。
【図１０】実施例４に係る前レンズの取付構造の分解説明図である。
【図１１】図１０を前方から見た正面図である。
【図１２】図１０の要部側面図である。
【符号の説明】
【００２６】
２……第１筒部、２２……前レンズ、２２０２……レンズ部、２２０３……取付部、２０４……開口部、２１０……当接部、２４……付勢手段、２４０１……付勢部材、２４０２……ばね部材、２４０４……開口部、２４０６……ばね片、２６……調整手段。
【図１】
2005055757.tif 000003
【図２】
2005055757.tif 000004
【図３】
2005055757.tif 000005
【図４】
2005055757.tif 000006
【図５】
2005055757.tif 000007
【図６】
2005055757.tif 000008
【図７】
2005055757.tif 000009
【図８】
2005055757.tif 000010
【図９】
2005055757.tif 000011
【図１０】
2005055757.tif 000012
【図１１】
2005055757.tif 000013
【図１２】
2005055757.tif 000014